(57)【要約】【課題】正座の安定性、快適性と生理的に優れた効果を椅子の座面に実現した椅子用座面を正座の体験の少ない人々の抵抗感を軽減し且つ生産コストを下げる目的で表面の隆起の数を統合して減らし、又単に椅子のみならず腰掛けやサドルに適用を拡大した椅子及び腰掛け用座面を提供する。【解決手段】  正座をしたときに大腿二頭筋内側部が軟着接触する腓腸筋内側部と、大腿二頭筋外側部が軟着接触する腓腸筋外側部と、座骨結節から股関節の大転子付近が軟着接触する踵部の各隆起形状を、座板の座面に模写して左右第１，第２，第３各３つの隆起部を形成し、且つ該左右各３つの隆起部の間に凹部を設け前記左右の第１と第２の隆起部の間を各々埋めて左右２つの隆起を持り椅子用座面とし、又、第３の左右の隆起部とその間の凹部を用いて腰掛け用座面とする。【選択図】      図１
2005058699.tif 000002
【特許請求の範囲】
【請求項１】
正座をしたときに大腿二頭筋内側部が軟着接触する腓腸筋内側部と、大腿二頭筋外側部が軟着接触する腓腸筋外側部と、座骨結節から股関節の大転子付近が軟着接触する踵部の各隆起形状を、腰を掛けて座れる大きさの座板の上面に模写して左右各３つの隆起部を形成し、更に前記大腿二頭筋内側部が軟着接触する腓腸筋内側部と、大腿二頭筋外側部が軟着接触する腓腸筋外側部の左右各２個の隆起の間の凹部を埋めて各々１個の隆起とし、左右各２個の隆起とした構成を有することを特徴とする椅子用座面。
【請求項２】
座骨結節から股関節の大転子付近が軟着接触する踵部の隆起部を腰のみを掛け得る座板の座面に模写して左右２個の隆起部を形成したことを特徴とする腰掛用座面。
【請求項３】
座骨結節から股関節の大転子付近が軟着接触する左右２個の隆起部の間を臀部に沿う形状としたことを特徴とする請求項１及び請求項２に記載の椅子及び腰掛用座面。
【請求項４】
座板がサドルの形状をなしていることを特徴とする請求項２又は請求項２及び請求項３に記載の腰掛用座面。
【請求項５】
隆起部と隆起部との間の凹部を上方に向かって凹のなだらかな曲面で連結したことを特徴とする請求項１乃至請求項４に記載の椅子及び腰掛用座面。
【請求項６】
座面を復元力に富み且つ柔軟な材料で覆ったことを特徴とする請求項１乃至請求項４に記載の椅子及び腰掛用座面。
【請求項７】
復元力に富み且つ柔軟な材料の表面を平面に仕上げた請求項６に記載の椅子及び腰掛用座面。
【発明の詳細な説明】
【技術分野】
【０００１】  本発明は、椅子用座面として椅子に用いたり、椅子床の上に敷いて座布団として用いたり、広く用いられている腰のみかける腰掛又は自転車等のサドル型の腰掛に用いる座面の改良に関するものである。
【背景技術】
【０００２】  日本で古来より行われて来た正座の座り心地の形態を椅子用座面に取り込む試みとして本出願人が成した特許文献１があるが、これを除いて他にこのような試みは聞かれない。
【特許文献１】特許第３０５５０２１号
【０００３】  そこで、前記特許文献１の内容を図１２乃至図１７により説明する。図１２は前記特許文献１の座面を示す上面図である。図１３は図１２のＧ−Ｇ断面図である、図１４は図１２のＨ−Ｈ断面図である。又図１５は図１２のＩ−１断面図である。図１６は正座した人を下方よりその大腿から腰が下腿及び踵と接触する部分を見た透視図である。図１７は本明細書で使用する名称の説明図である。【０００４】  図１２において６０は座面である。該座面６０の輪線６１乃至７０は図において左右の等高線である。７１は該左右の等高線６１、６２、６３で示す左右の隆起部である。同様に７２は夫々等高線６４、６５、６３で示す左右の隆起部である。又７３は、等高線６８，６９、７０、６６、６７で示す左右の隆起部である。【０００５】  次に図１２，図１３を参照して、７５は左右の隆起部７１、７２（以下左右の隆起部７１，７２を隆起部７１，７２と略称する。）の間の凹部である。
７４は左右の隆起部７１，７１の間の凹部である。なお７９は座板である。【０００６】  次に図１２，図１４を参照して７６は左右の隆起部７２、７３（以下左右の隆起部７２，７３を隆起部７２，７３と略称する。）の間の凹部である。
次に図１２，図１５を参照して、７８は前記左右の隆起部７３の間の凹部である。【０００７】このような隆起部及び凹部の配置について、これを図１６により説明する。図１６は正座した人を下方よりその大腿から臀が下腿から踵に接触する部位を見た透視図である。図において８１は臀部である。８２は夫々左右の大腿部である。８３は夫々左右の下腿部である。８４は夫々左右の踵である。正座は、足を膝で折り曲げて下腿部に大腿部を接触させ、更に、踵部に臀部を乗せた姿勢とする。【０００８】  図１６において７１ａは左右の腓腸筋内側部と左右の大腿二頭筋内側部夫々との軟着接触部（以下左右の腓腸筋内側部と左右の大腿二頭筋内側部夫々の軟着接触部７１ａを軟着接触部７１ａと略称する。）である。【０００９】  ７２ａは左右の腓腸筋外側部と左右の大腿二頭筋外側部夫々との軟着接触部（以下左右の腓腸筋外側部と左右の大腿二頭筋外側部の夫々との軟着接触部７２ａを軟着接触部７２ａと略称する。）である。【００１０】７３ａは左右の踵部座骨結節と左右の股関節の大転子付近夫々との軟着接触部（以下左右の踵部座骨結節と左右の股関節の大転子付近との軟着接触部７３ａを軟着接触部７３ａと略称する。）である。【００１１】  これら接触部により形成される片側３点（左右合計６点）により上体の荷重が一点に集中することがなく、上体の状況に応じて前記６カ所の軟着接触部７１ａ，７２ａ７３ａに夫々掛かる荷重の配分を変えることが出来る。これにより上体からの荷重と変位を安定して支持することが出来るようになっている。【００１２】  ここで強調したい点は、上記軟着接触部７１ａ，７２ａ、７３ａはいずれも筋肉同士が接触して、該筋肉を介して骨同志が荷重を支えている点で、血管はこれら接触する部分の圧迫による悪影響を受けにくい。又は表皮近くに張り巡らされた毛細血管は、前記接触部を除いて圧迫を受けないため血流に支障が少ない。【００１３】  而して下腿部８３から踵部８４の上に柔軟性を持つ粘土板を乗せ、その上面に前記と同様に大腿部から臀部を乗せることにより前記下腿部と大腿部から臀部とに挟まれた粘土は変形し、軟着接触部７１ａが、軟着接触部７２ａ又、軟着接触部７３ａが夫々形成され、片側３点（左右合計６点）の軟着接触状態が粘土上に凹みとして形成される。この凹みを埋める形状が前記図１２の隆起部７１，７２、及び７３である。【００１４】  図１７において８５は椅子である。該椅子８５は一般に用いられている椅子で、８６は座板である。該座板８６は椅子の強度部材であり、この椅子の使用者の体重を支える。８７は座面である。該座面８７は前記座板８６の上面に形成された座者が直接触れる部分である。【００１５】  従来の椅子は、一般的に座面が平面形状になっているものと、座面中央部が臀部を包み込むような凹んだ曲面形状になっているものとがある。座面が平面形状になっている椅子の場合、使用者の荷重（重量）が肛門付近を中心に大腿筋の中央部の１〜２点に集中的に作用するため、長時間座っていると強い圧迫感を受けて疲れを引きお起こし、腰痛や肩こり、足腰の冷え等の要因となり、特に肛門疾患者にとっては座り心地の悪い状態となる。【００１６】  一方座面が窪んだ曲面形状になって��る椅子の場合には、接触面が大きくなって荷重が分散されるため、集中的な圧迫感は受けにくいが、やはり長時間座っていると荷重が中央にかかり、肛門付近を中心に次第に圧迫感を受けることになる。【００１７】  一方正座の姿勢では図１６に示す如く、軟着接触部は７１ａ、７２ａ、７３ａの６カ所に分散し、一カ所に集中することがない。且つ上体の状況に応じてこれら６カ所に配分される荷重を変えることが出来るため上体からの荷重と変位を安定支持することが出来るという優れた特性を有している。更に半球状の隆起部７３及びその凹部７８は、股関節が前後左右、旋回（揺動的）に動くことに抵抗がない形状となっており、上半身の可動域の範囲を制限する事がない。【００１８】  なお此処で補足強調しておきたいことは、隆起部７１，７２の間は大腿二頭筋の内側中央部に当たり、軟着接触がない。即ち、この部分は支持部がないことである。換言すれば隆起部７１と隆起部７２の間の凹部７５は大腿２頭筋の内側中央部を圧迫しない範囲で埋めても差し支えないと言うことである。【００１９】  前記した如く前記登録特許第３０５５０２１は座面に関しては実用上多くの利点があるが、膝の具合の悪い人、椅子の生活に慣れ親しんでいる比較的若い人等には正座が困難又は長時間の正座は困難等の要因から正座の安定性と座り心地の快適性を実感出来ない又は実感していない人が多い。このような人々にとっては、座面６０に多数の隆起があることは、それ自体で拒絶反応を招く傾向がある。又商品として座板を加工する場合、可及的に隆起を減らしたいという製造上の要請もあり、よりシンプルな形状とすることが求められている。【００２０】  また座位で激しい運動をする例えば自転車競技、身体強化運動具等に於いても前記の如き特性を発揮し得ることが明らかなことから、このような分野への適用を検討する必要が生じた。
【発明の開示】
【発明が解決しようとする課題】
【００２１】  本発明はこのような問題を解決するためになされたもので、その目的は、前記左右各３個の隆起部７１，７２、７３を持つ座板の座り心地及びその生理学的特徴を損ねることなく隆起の数を減らし、外見を単純にして使用者の抵抗感を少なくするすると共に、生産を容易にしようとするものである。又前記隆起部を所謂る腰掛及び自転車等のサドルの様に腰のみを掛けて使用する座面への適用も試みようとするものである。
【課題を解決するための手段】
【００２２】  本発明の第１の手段は請求項１に該当し、正座をしたときに大腿二頭筋内側部が軟着接触する腓腸筋内側部と、大腿二頭筋外側部が軟着接触する腓腸筋外側部と、座骨結節から股関節の大転子付近が軟着接触する踵部の各隆起形状を、腰を掛けて座れる大きさの座板の座面に模写して左右各３つの隆起部を形成し、更に前記大腿二頭筋内側部が軟着接触する腓腸筋内側部と、大腿二頭筋外側部が軟着接触する腓腸筋外側部の左右各２個の隆起の間の凹部を埋めて各々１個の隆起とし左右各２個の隆起とした構成とするようにしている。【００２３】    本発明の第２の手段は請求項２に該当し、座骨結節から股関節の大転子付近が軟着接触する踵部の隆起部を腰のみを掛け得る座板の座面に模写して左右２個の隆起部を形成するようにしている。【００２４】  本発明の第３の手段は請求項３に該当し、本発明の第１又は第２の手段の効果に加えて座骨結節から股関節の大転子付近に軟着接触する左右２個の隆起部の間の凹部の領域を、臀部の形状に沿う形状となるようにしている。【００２５】  本発明の第４の手段は請求項４に該当し、本発明の第２及び第３の手段の効果に加えて座板がサドルの形状をなすようにしている。【００２６】本発明の第５の手段は、請求項５に該当し、請求項１乃至請求項４に記載の隆起と隆起に挟まれた凹部をなだらかな上に向かって凹の曲面で結ぶようにしている。【００２７】  本発明の第６の手段は請求項６に該当し、請求項１乃至４に記載の隆起を復元力に富み且つ柔軟な材料で椅子用座面又は腰掛用座面を覆うようにしている。【００２８】  本発明の第７の手段は請求項７に該当し、請求項６の効果に加えて表面を全面に亘り平面に仕上げるようにしている。
【発明の効果】
【００２９】    本発明の第１の手段によれば、正座をした時の安定性と快適性を損なうことなく座面を単純化して生産性を改善し、且つ使用者の抵抗感を和らげることが出来る。【００３０】    本発明の第２の手段によれば、正座による状態の安定感と快適性を大きく左右する座骨結節から股関節の大転子付近を支える踵部の隆起による効果を腰のみを掛ける所謂る腰掛けの座面に拡張することが出来る。なお、この際も両足が床又は足かけにより荷重の一部を支えており、通常は両足と前記踵部の隆起と４カ所の支点で支えられていると考えることが出来る。【００３１】  本発明の第３の手段によれば、座骨結節から股関節の大転子付近に軟着接触する隆起部により体重が直接支えられ、且つ該隆起の間に存在する肛門周辺の陰部を圧迫する接触面が除かれているために皮膚の引きつりが起こらない。従ってこの部分で血行不良に伴う不快感から解放されるばかりでなく、血行不良に伴う多くの障害を防止することが出来るという効果を奏する。【００３２】  本発明の第４の手段によれば、正座による上体の安定感と快適性を公知の自転車等の座面に適用することが出来る。特に本発明の第２の手段及び第３の手段による効果を自転車競技等の全力で長時間運動を続ける座面上に適用した場合、肛門周辺の陰部の血行不良に伴う障害として足腰に痺れを感じることは日常のことであり、これが極度に進行すると性的不能に陥る例もあり、耐久自転車競技の選手にとってこの問題は決して看過し得ない重要な問題である。従って、これに伴う障害を少なくとも軽減できることは運動選手にとって有効なことである。【００３３】  なおサドル型腰掛けは自転車、オートバイを始め三輪型軽自動車、産業用車両等に広く採用されているばかりでなく、スポーツジム等に装備された体力鍛錬用装置にも数多く採用されており、これらについても上記と同様、健康上の効果を奏する。【００３４】本発明の第５の手段よれば、隆起が見かけ上低くなだらかに見えるため、若い人々の違和感を和らげる効果を奏する。【００３５】  本発明の第６の手段によれば、座面の隆起は柔軟且つ復元力に富む材料で覆い隠されて、隆起があるための違和感を解消することが出来るという効果を奏する。なお此処にいう柔軟且つ復元力に富む材料とは発泡率が高く容易に圧縮される樹脂類、長繊維の毛糸、ジュータン等の毛、綿、絹等の繊維及び織物、長い毛を持った毛皮類等を指す。【００３６】  本発明の第７の手段によれば座面は柔軟且つ復元力に富む材料で隆起が完全に覆われ且つ全面に亘り平に仕上げられるので、座り心地を改善し且つ隆起による違和感は完全に解消するという効果を奏する。
【発明を実施するための最良の形態】
【００３７】  次に本発明を実施するための最良の形態例について図面を参照して説明する。なお背景技術で説明したものと同じ部分には同じ符号を付して説明を簡略にする。
【実施例１】
【００３８】  図１は本発明による椅子用座面の実施の形態の第１例を示す上面図である。図２、図１３，図１４は夫々図１のＡ−Ａ断面図、Ｈ−Ｈ断面図、Ｉ−Ｉ断面図である。
図において１は座面である。該座面１の左右の輪線２乃至４は等高線である。該等高線２乃至４により左右の隆起部５を表す。その座面形状について説明すれば、図２に示す如く左右両側の隆起５である。該隆起部５は、背景技術において説明した図１２の左右の隆起部７１，７２の間の凹部を埋め、対応する等高線を共通接線で連結した形状として左右各１つの隆起部５に纏めたものである。【００３９】  上記により左右の隆起部５の間の凹部は背景技術で説明したと同じ７４である。図１において前記隆起部５より下の部分及び隆起部７３は正座の安定性と快適性を損ねることなく維持するため背景技術の項で説明したものをそのまま採用している。【００４０】  次に、このように構成された椅子用座面の作用及び効果について説明する。隆起部５は、前記背景技術で説明した隆起部７１と隆起部７２との間の前記凹部７５を埋め、夫々の等高線を共通接線で連結した形に成形したもので、大腿二頭筋内側部及び大腿二頭筋外側部を支えるが、大腿二頭筋内側の中央部とは隙間が確保されており、相互に触れていない。従って背景技術で説明した内側腓腸筋、外側腓腸筋に相当する隆起７１，７２の間を前記大腿二頭筋の内側中央部を圧迫しない範囲で埋めることは機能上全く影響しないことである。【００４１】  このように纏めることにより正座に対する正しい知識のない人の持つ抵抗感を緩和することが出来る。又製造上も表面形状がシンプルとなり生産コスト低減に役立つ。なお隆起７３は背景技術で説明した形状をそのまま採用したので、正座の安定性と快適性を背景技術に於ける状態に維持することが出来る。
【実施例２】
【００４２】  本発明の実施の形態の第２例について図３、図４を参照して説明する。
図３は本発明の実施の形態の第２例を示す丸型腰掛けの上面図である。図４は図３のＢ−Ｂ断面図である。図において７乃至１２は等高線である、該等高線７乃至１０により内側に対して外側が切り立った感じの隆起部１３を表す。又等高線１１，１２は左右の隆起部１３の間の凹部を構成し、該凹部を座者の臀部に沿う形状となるよう上に向かって凹のなだらかな曲面で結ぶ凹部１４をなしている。
なお対向する２個の隆起１３の頂部の形状は図１におけるＩ−Ｉ断面部の形状と全く同じであり、左右の隆起部１３の各々の外側は小さい座板１５に収容するため削り落とし、傾斜を強めている。【００４３】  図３のような腰掛けでは本発明の実施例１で示した隆起５が省略されている。このような腰掛けにおいては一般に両足を床又は該腰掛けの支柱の途中に設けられた足掛けに置いており、実質的に座面左右の隆起１３と両足の４ヶ所で荷重を分担している。従って本発明の実施例２においても本発明の実施例１に近い安定性を実現している。【００４４】  本腰掛けにおいては、座骨結節から股関節の大転子付近に軟着接触する隆起部１３により体重が直接支えられ且つ該隆起の間に存在する肛門周辺の陰部を圧迫する接触面が除かれているために皮膚の引きつりが起こらない。従ってこの部分で血行不良に伴う不快感から解放されるばかりでなく、前記血行不良に伴う多くの障害を防止することが出来るという効果を奏する。
【実施例３】
【００４５】    本発明の実施例３を説明する。
図５は本発明による椅子用座面の実施の形態の第３例を示すサドル型腰掛けの上面図である。又図６は図５のＣ−Ｃ断面図である。なお図において実施例２で説明した部分には同じ符号を付して説明を簡略にする。【００４６】  図において２０は本発明になる自転車に用いたサドルの座面である。２１はサドル２０の先端部分である。又２３はサドルの座部である。該サドル２０の座部２３は横方向に長軸を持つほぼ楕円形をなしている。前記サドル２０の前端部２１の下端側と前記サドル２０の座部２３の上端側の間は各々の間を結ぶ曲面２２により滑らかに連続してサドル２０の輪郭を構成している。前記座部２３の上面には左右の隆起１３が設けてある。該隆起１３の間は図６に示す如く上に向かって凹のなだらかな曲面１４で結ばれている。なお１６は本サドルに追加した等高線で座部２３と曲面２２との連絡を滑らかにするために設けたものである。また、座板２４は前記サドルの先端部２１，座部２３とその間を結ぶ曲面２２で構成する形状を成している【００４７】  次にその作用及び効果を説明する。運転者は、サドル２０を跨ぐ形でサドル２０の先端部２１の両側に足を出し座部の左右の隆起１３に腰を掛け両足を自転車車体中央下部に左右に出たクランクの先のペダルに乗せる。又両手は車体の前部上端に左右に延びるハンドルを握る。この姿勢で一般には両手に軽く体重を掛けるように前傾姿勢となる。競走用自転車においてはこの前傾姿勢が更に強くなり上半身の体重の約半分をハンドルに掛ける程度となる。このような姿勢でペダルをこいて走行する。この際体重を支えているのは左右のハンドルを握る手と隆起１３の４カ所であり補助的に左右の足がこれに加わる。【００４８】  座部２３の隆起１３及びなだらかな上に向かって凹の曲面１４による効果は、座骨結節から股関節の大転子付近に軟着接触する隆起部１３により体重が直接支えられ且つ該隆起の間に存在する肛門周辺の陰部を圧迫する接触面が除かれているために皮膚の引きつりが起こらない。従って該部で血行不良に伴う不快感から解放され且つ、多くの障害を防止することが出来るという効果を奏する。【００４９】  特に自転車競技等、全力で長時間運動を続ける座面上に適用した場合、肛門周辺の陰部の血行不良に伴う障害として足腰に痺れを感じることから解放され、血行不良の障害としてこれが極度に進行すると性的不能に陥る例もあり、耐久自転車競技の選手にとってこの問題は決して看過し得ない重要な問題であったが、これに伴う障害を少なくとも軽減できることは運動選手にとって有益な効果である。【００５０】  更に半球状の隆起１３及びその凹部１４の形状は、股関節の形状が前後左右動、旋回（揺動的）に動くことに抵抗のない形状となっており、上半身の可動域の範囲を制限する事がない形状となっているため、自転車等の旋回時に車体を傾斜させる動作にも身体に異常な拘束となることもない。
【実施例４】
【００５１】  本発明の実施例４を図７乃至図１１を用いて説明する。
図７は本発明の実施の形態の第４例を示す上面図である。４６は柔軟なスポンジ状の樹脂である。該スポンジ状樹脂４６は前記座面４５の表面を覆っている。
図８は図７のＤ−Ｄ断面図である。該Ｄ−Ｄ断面図ではスポンジ状樹脂４６の上面は座面隆起３９を覆っておりその上面は平滑に仕上げてある。同様に、図９は図７のＥ−Ｅ断面図である。又図１０は図７のＦ−Ｆ断面図である。【００５２】  尚図７において、４５は座面である。該座面４５において３１乃至３５は等高線である。３９は左右の隆起部である。該隆起部３９は、等高線３１乃至３３で構成されている。同様に４２は隆起部である。該隆起部４２は等高線３６乃至３８および３４で構成する隆起部である。【００５３】  図８において４０は上に向かって凹のなだらかな曲面である。該凹のなだらかな曲面４０は前記左右の隆起部３９の間を結んでいる。
図９において４３は上に向かって凹のなだらかな曲面である。該凹のなだらかな曲面４３は左右の等高線３４，３５で構成する隆起部４１の間を結んでいる。
図１０において４４は上に向かって凹のなだらかな曲面である。該凹のなだらかな曲面４４は前記左右の隆起部４２の間を結んでいる。【００５４】図７乃至図１０に示した座面４５の形状は硬質の樹脂又は木材を使用した例である。しかし、スポンジ状の樹脂を前記座面の表面に積層した場合、人が座り、柔軟なスポンジ状樹脂が圧縮されて隆起部３９，４２を嵩上げする。この嵩上げ量が隆起の誤差範囲であれば実用上問題ないが、隆起部３９，４２の形状は柔軟なスポンジ樹脂の層が体重で押し潰された状態で先に説明した図１に示す形状となるように嵩上げ代を予め削除する修正をしておくことが好しく、等高線３１乃至３８等高線３６乃至３８及び３４並びに、これによる隆起部３９及び４２は該嵩上げ代を修正したものである。なお本実施例で４９は座板である【００５５】  なお上記例は柔軟なスポンジ状材料を使用した例を示したが、柔軟な材料の例として、図１１に他の材料の例を示す。
図１１Ａ、図１１Ｂは図７のＤ−Ｄ断面に相当する断面図である。図１１Ａにおいて４７は柔らかい毛を持った毛皮である。該毛皮４７は表皮を座面に張り付け且つ隆起部３９を毛先が覆い且つその毛先は平に刈り揃えて仕上げている。【００５６】  図１１Ｂにおいて隆起部３９は地の糸を堅く編み上げて構成し、その先端に柔らかい繊維４８を植設したもので、該繊維の先端は、平らに刈り揃えて仕上げている。なお本実施例で４９は座板である。【００５７】  実施例１において隆起７１と隆起７２を夫々の等しい高さの等高線を共通接線で結んだ形状の例を説明したが、外側になだらかな凸の曲線を共通線としても大腿２頭筋内側中央部を圧迫しない範囲であり、内側になだらかな凸の共通線としても上記違和感を起こさせない範囲であれば共に差支えない。【００５８】  実施例１において座板は硬質樹脂、木材を使用した例を示したが、その他鉄、アルミニューム、皮又はこの組み合わせで成型することも可能である。【００５９】  実施例４において、何れも柔軟な材料でその先端を平らに仕上げて隆起を覆い隠しているが、これにより使用者の抵抗感を著しく削減することが出来る。この効果は平坦に仕上げることに限定されるものではなく本目的に添う範囲で仕上げの方法は自由である。又柔軟な材料で座面を覆うことは本発明の第２，第３の実施例にも適用可能である。又本座面は座布団として床又は座面の平らな椅子に敷いて用いることもできる。等上記各事項を含めて発明の要旨を逸脱しない範囲で変更は自由であることは勿論である。
【図面の簡単な説明】
【００６０】
【図１】本発明による椅子用座面の実施の形態の第１例を示す上面図である。
【図２】図１のＡ−Ａ断面図である。
【図３】本発明による椅子用座面の実施の形態の第２例を示す丸腰掛けの上面図である。
【図４】図３のＢ−Ｂ断面図である。
【図５】本発明による椅子用座面の実施の形態の第３例を示すサドル型腰掛けの上面図である。
【図６】図５のＣ−Ｃ断面図である。
【図７】本発明による椅子用座面の実施の形態の第４例を示す上面図である。
【図８】図７のＤ−Ｄ断面図である。
【図９】図７のＥ−Ｅ断面図である。
【図１０】図７のＦ−Ｆ断面図である。
【図１１】（Ａ）図７のＤ−Ｄ断面に相当する断面図である。（Ｂ）図７のＤ−Ｄ断面に相当する断面図である。
【図１２】背景技術の座面を示す上面図である。
【図１３】図１２のＧ−Ｇ断面図である。
【図１４】図１２のＨ−Ｈ断面図である。
【図１５】図１２のＩ−Ｉ断面図である。
【図１６】正座をしている時の軟着接触部の状態を示す概略平面図である。
【図１７】一般に使用される椅子である。
【符号の説明】
【００６１】１、６、２０、４５、６０  座面
２、３，４、７、８、９，１０，３１，３２，３３，３６，３７，３８、６１，６２，６３，６４，６５，６８，６９，７０  左右の等高線
５、１３、３９、４２、７１、７２、７３  左右の隆起部
１１，１２，１６、３４，３５，６６．６７  等高線
１４，４０，４１，４３，４４，７４、７５，７６，７８  凹部。
１５、２４、４９、７９  座板
２１  サドルの先端部
２２  サドルの先端部とサドルの座部を結ぶ曲面
２３  サドルの座部
４６  柔軟なスポンジ状材料
４７  柔らかい毛を持った毛皮
４８  植設された柔らかい繊維
７１ａ  （左右の）腓腸筋内側部と大腿二頭筋内側部の軟着接触部
７２ａ  （左右の）腓腸筋外側部と大腿二頭筋外側部の軟着接触部
７３ａ  （左右の）踵部座骨結節と股間節の大転子付近との軟着接触部
８１  臀部
８２  （左右の）大腿部
８３  （左右の）下退部
８４  （左右の）踵
８５  椅子
８６  座板
８７  座面
【図１】
2005058699.tif 000003
【図２】
2005058699.tif 000004
【図１４】
2005058699.tif 000005
【図１５】
2005058699.tif 000006
【図３】
2005058699.tif 000007
【図４】
2005058699.tif 000008
【図５】
2005058699.tif 000009
【図６】
2005058699.tif 000010
【図７】
2005058699.tif 000011
【図８】
2005058699.tif 000012
【図９】
2005058699.tif 000013
【図１０】
2005058699.tif 000014
【図１１】
2005058699.tif 000015
【図１２】
2005058699.tif 000016
【図１３】
2005058699.tif 000017
【図１４】
2005058699.tif 000018
【図１５】
2005058699.tif 000019
【図１６】
2005058699.tif 000020
【図１７】
2005058699.tif 000021
【手続補正書】
【提出日】平成15年11月5日(2003.11.5)
【手続補正１】
【補正対象書類名】図面
【補正対象項目名】全図
【補正方法】変更
【補正の内容】
【図１】
2005058699.tif 000022
【図２】
2005058699.tif 000023
【図３】
2005058699.tif 000024
【図４】
2005058699.tif 000025
【図５】
2005058699.tif 000026
【図６】
2005058699.tif 000027
【図７】
2005058699.tif 000028
【図８】
2005058699.tif 000029
【図９】
2005058699.tif 000030
【図１０】
2005058699.tif 000031
【図１１】
2005058699.tif 000032
【図１２】
2005058699.tif 000033
【図１３】
2005058699.tif 000034
【図１４】
2005058699.tif 000035
【図１５】
2005058699.tif 000036
【図１６】
2005058699.tif 000037
【図１７】
2005058699.tif 000038